(57)【特許請求の範囲】
【請求項１】
一対の框をパンタグラフ形に複数の連接軸を連結して構成されるパンタグラフ装置で連結するとともに、該框間にスクリーンを配設し、該框に対して第一の連接軸の一方の端部を框の延びる方向に移動可能に支持し、該框に対して第二の連設軸の一方の端部を支持し、前記パンタグラフ装置を伸縮させることにより、前記スクリーンを伸縮して開閉可能とし、前記パンタグラフ装置には前記スクリーンの開閉操作の補助力を生成する開閉補助装置を備えた横引スクリーンにおいて、
前記開閉補助装置は、
前記パンタグラフ装置を構成する第一の連接軸の両端部を、第二の連接軸の一方の端部を経て連結する連結部材と、
前記第一の連接軸の一方の端部を第二の連接軸の一方の端部に向けて付勢する付勢力と前記第一の連接軸の他方の端部を第二の連接軸の一方の端部に向けて付勢する付勢力を前記連結部材に付与する付勢手段と
から構成したことを特徴とする横引スクリーンの開閉装置。
【請求項２】
前記連結部材をワイヤで構成し、前記付勢手段をコイルスプリングで構成したことを特徴とする請求項１記載の横引スクリーンの開閉装置。
【請求項３】
前記ワイヤの一端を前記第一の連接軸の一端に接続し、前記ワイヤを前記第二の連接軸の端部に掛装し、前記ワイヤの他端を前記コイルスプリングを介して前記第一の連接軸の他端に接続したことを特徴とする請求項２記載の横引スクリーンの開閉装置。
【請求項４】
前記ワイヤの一端を前記第一の連接軸の他端に接続し、前記ワイヤを前記第二の連接軸の一端を経て前記第一の連接軸の一端に掛装し、前記ワイヤの他端を前記コイルスプリングを介して前記第二の連接軸の一端に接続したことを特徴とする請求項２記載の横引スクリーンの開閉装置。
【請求項５】
前記框は、固定框と移動框とで構成し、前記パンタグラフ装置は、前記第一の連接軸と第二の連接軸からなる一組のパンタグラフ装置を固定框と移動框との間で複数組連結して構成し、前記開閉補助装置は、前記固定框に接続されるパンタグラフ装置に備えたことを特徴とする請求項１乃至４のいずれかに記載の横引スクリーンの開閉装置。
【請求項６】
前記第一の連接軸の他方の端部と前記第二の連接軸の他方の端部を連結する補助連結部材と、前記第一の連接軸の他方の端部を前記第二の連接軸の他方の端部に向けて付勢する付勢力と前記第二の連接軸の他方の端部を前記第一の連接軸の他方の端部に向けて付勢する付勢力とを前記補助連結部材に付与する補助付勢手段を備えたことを特徴とする請求項１乃至５のいずれかに記載の横引スクリーンの開閉装置。
【請求項７】
一対の框をパンタグラフ形に複数の連接軸を連結して構成されるパンタグラフ装置で連結するとともに、該框間にスクリーンを配設し、該框に対して第一の連接軸の一方の端部を框の延びる方向に移動可能に支持し、該框に対して第二の連設軸の一方の端部を支持し、前記パンタグラフ装置を伸縮させることにより、前記スクリーンを伸縮して開閉可能とし、前記パンタグラフ装置には前記スクリーンの開閉操作の補助力を生成する開閉補助装置を備えた横引スクリーンにおいて、
前記開閉補助装置は、
前記パンタグラフ装置を構成する第二の連接軸の両端部を、第一の連接軸の一方の端部を経て連結する連結部材と、
前記第一の連接軸の一方の端部を第二の連接軸の一方の端部に向けて付勢する付勢力と前記第二の連接軸の他方の端部を第一の連接軸の一方の端部に向けて付勢する付勢力を前記連結部材に付与する付勢手段と
から構成したことを特徴とする横引スクリーンの開閉装置。
【請求項８】
前記連結部材の一端を前記第二の連接軸の他端に接続し、前記連結部材を前記第一の連接軸の一端を経て前記第二の連接軸の一端に掛装し、前記連結部材の他端を前記付勢手段を介して前記第一の連接軸の一端に接続したことを特徴とする請求項７記載の横引スクリーンの開閉装置。
【発明の詳細な説明】
【０００１】
【発明の属する技術分野】
この発明は、横引プリーツスクリーン、アコーデオンカーテン等のスクリーンを開閉する開閉装置に関するものである。
【０００２】
【従来の技術】
特公昭５９−２１４３８号に記載された折畳ドアは垂直枠間に表面シートが伸縮可能に配設され、かつ垂直枠間に伸縮枠が配設されている。そして、一方の垂直枠をレールに沿って移動させることにより、表面シートの引き出しあるいは畳み込み可能となっている。
【０００３】
一方の垂直枠には伸縮枠の開閉に際し、補助力を付与する定荷重バネが設けられている。そして、垂直枠を中間位置から表面シートの引き出し方向に移動させれば、その垂直枠に表面シートの引き出し方向への補助力が作用して、垂直枠を全閉位置まで移動させたとき、同垂直枠をその位置に保持する。
【０００４】
また、垂直枠を中間位置から表面シートの畳み込み方向に移動させれば、その垂直枠に表面シートの畳み込み方向への補助力が作用して、垂直枠を全開位置まで移動させたとき、同垂直枠をその位置に保持する。
【０００５】
【発明が解決しようとする課題】
上記のような開閉装置では、定荷重バネの付勢力が作用する摺動子を案内溝内で移動させることにより、補助力が作用する方向を変化させている。
【０００６】
しかし、案内溝は伸縮枠の回動支点から一方の端部の間でのみ形成されているので、表面シートの畳み込み方向の補助力は引き出し方向の補助力に比して小さくなる。
【０００７】
従って、表面シートの引き出し方向及び畳み込み方向に安定した補助力を確保することは困難である。
また、案内溝内で摺動子を円滑に移動させるために、摺動子と案内溝間にベアリングを介在させる必要があり、部品コストが上昇するという問題点がある。
【０００８】
この発明の目的は、スクリーンを開閉する框に、開閉操作の補助力を安定して付与し得る横引スクリーンの開閉装置を簡便な構成で提供することにある。
【０００９】
【課題を解決するための手段】
請求項１では、一対の框をパンタグラフ形に複数の連接軸を連結して構成されるパンタグラフ装置で連結するとともに、該框間にスクリーンを配設し、該框に対して第一の連接軸の一方の端部を框の延びる方向に移動可能に支持し、該框に対して第二の連設軸の一方の端部を支持し、前記パンタグラフ装置を伸縮させることにより、前記スクリーンを伸縮して開閉可能とし、前記パンタグラフ装置には前記スクリーンの開閉操作の補助力を生成する開閉補助装置を備えた横引スクリーンにおいて、前記開閉補助装置は、前記パンタグラフ装置を構成する第一の連接軸の両端部を、第二の連接軸の一方の端部を経て連結する連結部材と、前記第一の連接軸の一方の端部を第二の連接軸の一方の端部に向けて付勢する付勢力と前記第一の連接軸の他方の端部を第二の連接軸の一方の端部に向けて付勢する付勢力を前記連結部材に付与する付勢手段とから構成した。
【００１０】
請求項２では、前記連結部材をワイヤで構成し、前記付勢手段をコイルスプリングで構成した。
請求項３では、前記ワイヤの一端を前記第一の連接軸の一端に接続し、前記ワイヤを前記第二の連接軸の端部に掛装し、前記ワイヤの他端を前記コイルスプリングを介して前記第一の連接軸の他端に接続した。
【００１１】
請求項４では、前記ワイヤの一端を前記第一の連接軸の他端に接続し、前記ワイヤを前記第二の連接軸の一端を経て前記第一の連接軸の一端に掛装し、前記ワイヤの他端を前記コイルスプリングを介して前記第二の連接軸の一端に接続した。
【００１２】
請求項５では、前記框は、固定框と移動框とで構成し、前記パンタグラフ装置は、前記第一の連接軸と第二の連接軸からなる一組のパンタグラフ装置を固定框と移動框との間で複数組連結して構成し、前記開閉補助装置は、前記固定框に接続されるパンタグラフ装置に備えた。
請求項６では、前記第一の連接軸の他方の端部と前記第二の連接軸の他方の端部を連結する補助連結部材と、前記第一の連接軸の他方の端部を前記第二の連接軸の他方の端部に向けて付勢する付勢力と前記第二の連接軸の他方の端部を前記第一の連接軸の他方の端部に向けて付勢する付勢力とを前記補助連結部材に付与する補助付勢手段を備えた。
請求項７では、一対の框をパンタグラフ形に複数の連接軸を連結して構成されるパンタグラフ装置で連結するとともに、該框間にスクリーンを配設し、該框に対して第一の連接軸の一方の端部を框の延びる方向に移動可能に支持し、該框に対して第二の連設軸の一方の端部を支持し、前記パンタグラフ装置を伸縮させることにより、前記スクリーンを伸縮して開閉可能とし、前記パンタグラフ装置には前記スクリーンの開閉操作の補助力を生成する開閉補助装置を備えた横引スクリーンにおいて、前記開閉補助装置は、前記パンタグラフ装置を構成する第二の連接軸の両端部を、第一の連接軸の一方の端部を経て連結する連結部材と、前記第一の連接軸の一方の端部を第二の連接軸の一方の端部に向けて付勢する付勢力と前記第二の連接軸の他方の端部を第一の連接軸の一方の端部に向けて付勢する付勢力を前記連結部材に付与する付勢手段とから構成した。
請求項８では、前記連結部材の一端を前記第二の連接軸の他端に接続し、前記連結部材を前記第一の連接軸の一端を経て前記第二の連接軸の一端に掛装し、前記連結部材の他端を前記付勢手段を介して前記第一の連接軸の一端に接続した。
【００１３】
【発明の実施の形態】
（第一の実施の形態）
図１及び図２に示す横引プリーツスクリーンは、固定框１と移動框２との間に２枚のスクリーン３ａ，３ｂが配設される。前記移動框２は、ハンガーレール４に沿って移動可能に支持され、前記スクリーン３ａ，３ｂはジグザグ状に伸縮可能に形成される。従って、移動框２を固定框１から遠ざかる方向に移動させると、スクリーン３ａ，３ｂが引き出され、移動框２を固定框１に近づく方向に移動させると、スクリーン３ａ，３ｂが両框１，２間に畳み込まれる。
【００１４】
前記スクリーン３ａ，３ｂ間には、互いの離間を防止する間隔保持部材５が所定間隔ごとに４箇所設けられている。また、移動框２の前後両側面には取手６が設けられている。
【００１５】
前記スクリーン３ａ，３ｂ間において、前記固定框１と移動框２との間には２組のパンタグラフ装置７ａ，７ｂが配設されている。
前記パンタグラフ装置７ａは、２本の連接軸８ａ，８ｂがその中間部で回動可能に連結されている。
【００１６】
前記連接軸８ａの一端は、前記固定框１の上部に固定された軸受部材９に回動可能に支持されている。前記連接軸８ｂの一端は、固定框１の下部に上下方向に移動可能に支持された軸受部材１０に回動可能に支持されている。
【００１７】
前記パンタグラフ装置７ｂは、２本の連接軸１１ａ，１１ｂがその中間部で回動可能に連結されている。
前記連接軸１１ａの一端は、前記パンタグラフ装置７ａの連接軸８ｂの他端に回動可能に連結され、前記連接軸１１ｂの一端は、前記パンタグラフ装置７ｂの連接軸８ａの他端に回動可能に連結されている。
【００１８】
前記連接軸１１ｂの他端は、前記移動框２の上部に固定された軸受部材１２に回動可能に支持されている。前記連接軸１１ａの他端は、移動框２の下部に上下方向に移動可能に支持された軸受部材１３に回動可能に支持されている。
【００１９】
従って、移動框２を固定框１に向かって移動させれば、軸受部材１０，１３が固定框１及び移動框２に沿って下方へ移動して、図６に示すように、パンタグラフ装置７ａ，７ｂが畳まれる。
【００２０】
また、移動框２を固定框１から離間する方向に移動させれば、軸受部材１０，１３が固定框１及び移動框２に沿って上方へ移動して、図７に示すように、パンタグラフ装置７ａ，７ｂが引き伸ばされる。
【００２１】
前記パンタグラフ装置７ａには、開閉補助装置が取着されている。前記開閉補助装置は、ワイヤ１４とコイルスプリング１５とから構成される。
前記ワイヤ１４は、図３に示すように、その一端が前記連接軸８ｂと同１１ａとの連結部において、同連接軸８ｂの端部に固定される。また、ワイヤ１４の他端部は、図４に示すように、前記軸受部材９に回転可能に支持されたプーリー９ａに掛装されて固定框１に沿って下方へ案内され、前記コイルスプリング１５の上端に接続されている。前記コイルスプリング１５の下端は、図５に示すように、前記軸受部材１０に接続されている。
【００２２】
前記連接軸８ａ，８ｂ，１１ａ，１１ｂ及びワイヤ１４は、前記間隔保持部材５に形成された挿通孔１６にそれぞれ挿通されている。
次に、上記のように構成された横引プリーツスクリーンの動作を説明する。
【００２３】
図１に示すように、移動框２を固定框１から所定距離離れた位置まで移動させて、パンタグラフ装置７ａ，７ｂの各連接軸８ａ，８ｂ及び同１１ａ，１１ｂの挟角αが９０°となったとき、コイルスプリング１５は最も引き伸ばされた状態となる。
【００２４】
このとき、コイルスプリング１５の付勢力により、連接軸８ｂの上端部は固定框１に向かって矢印Ａ方向に引っ張られ、連接軸８ｂの下端部は上方に向かって矢印Ｂ方向に引っ張られる。
【００２５】
矢印Ａ方向に作用する力と、矢印Ｂ方向に作用する力とは同一である。そして、矢印Ａ方向に作用する力の分力ａと矢印Ｂ方向に作用する力の分力ｂとが等しくなるため、連接軸８ｂに回転力は作用しない。従って、連接軸８ａ，８ｂ，１１ａ，１１ｂはこの状態に維持される。
【００２６】
この状態から、移動框２を固定框１に近づく方向に移動させると、図６に示すように、コイルスプリング１５は徐々に収縮し、矢印Ａ方向に作用する力と、矢印Ｂ方向に作用する力は徐々に減少する。
【００２７】
しかし、各連接軸８ａ，８ｂ及び同１１ａ，１１ｂの挟角αの減少により、矢印Ａ方向に作用する力の分力ａは、矢印Ｂ方向に作用する力の分力ｂより徐々に大きくなる。
【００２８】
この結果、連接軸８ｂには分力ａ方向に回転力が作用し、移動框２には連接軸８ａ，８ｂ，１１ａ，１１ｂを介して固定框１に近づく方向への補助力が作用する。従って、移動框２を固定框１に向かって軽微な操作力で移動させることが可能となり、移動框２を固定框１近傍まで移動させた後は、前記補助力により移動框２が固定框近傍に保持される。
【００２９】
このとき、パンタグラフ装置７ａ，７ｂ及びスクリーン３ａ，３ｂは、固定框１と移動框２との間に畳み込まれる。
図１に示す状態から、移動框２を固定框１から離れる方向に移動させると、図７に示すように、コイルスプリング１５は徐々に収縮し、矢印Ａ方向に作用する力と、矢印Ｂ方向に作用する力は徐々に減少する。
【００３０】
しかし、各連接軸８ａ，８ｂ及び同１１ａ，１１ｂの挟角αの増大により、矢印Ｂ方向に作用する力の分力ｂは、矢印Ａ方向に作用する力の分力ａより徐々に大きくなる。
【００３１】
この結果、連接軸８ｂには分力ｂ方向に回転力が作用し、移動框２には連接軸８ａ，８ｂ，１１ａ，１１ｂを介して固定框１から離れる方向への補助力が作用する。従って、移動框２を固定框１から離れる方向に軽微な操作力で移動させることが可能となり、移動框２をプリーツスクリーンの全閉位置まで移動させた後は、前記補助力により移動框２が全閉位置に保持される。
【００３２】
上記のように構成された横引プリーツスクリーンでは、次に示す作用効果を得ることができる。
（１）パンタグラフ装置７ａ，７ｂの連接軸８ａ，８ｂ，１１ａ，１１ｂの挟角αが９０°となる転換点から、移動框２を固定框１に近づく方向に移動させるとき、開閉補助装置により移動框２を固定框１に向かって付勢する補助力を発生させることができる。従って、スクリーン３ａ，３ｂの畳み込み操作を軽微な操作力で行うことができる。
【００３３】
（２）パンタグラフ装置７ａ，７ｂの連接軸８ａ，８ｂ，１１ａ，１１ｂの挟角αが９０°となる転換点から、移動框２を固定框１から離れる方向に移動させるとき、開閉補助装置により移動框２を固定框１から離れる方向に向かって付勢する補助力を発生させることができる。従って、スクリーン３ａ，３ｂの引き出し操作を軽微な操作力で行うことができる。
【００３４】
（３）開閉補助装置をワイヤ１４とコイルスプリング１５のみの簡単な構成で実現することができる。
（第二の実施の形態）
図８は、この発明を具体化した横引プリーツスクリーンの第二の実施の形態を示す。
【００３５】
この実施の形態は、前記第一の実施の形態とは開閉補助装置の構成のみ相違する。前記実施の形態と同一構成部分は同一符号を付して説明する。
この実施の形態の開閉補助装置は、ワイヤ１７と、コイルスプリング１８及び補助コイルスプリング１９とで構成される。ワイヤ１７は、図９に示すように、その一端が前記連接軸８ｂと同１１ａとの連結部において、同連接軸８ｂの端部に固定される。
【００３６】
ワイヤ１７の他端部は、図１０に示すように、前記軸受部材９のプーリー９ａに掛装されて固定框１に沿って下方へ案内され、図１１に示すように、軸受部材１０のプーリー１０ａに掛装されて上方へ案内される。
【００３７】
そして、コイルスプリング１８の下端に接続され、そのコイルスプリング１８の上端は、図１０に示すように、ワイヤ１８ａを介して前記軸受部材９に接続されている。
【００３８】
補助コイルスプリング１９は、図９に示すように、その上端部がワイヤ２０ａを介して連接軸８ｂ，１１ａの連結軸２１に接続され、下端部はワイヤ２０ｂを介して連接軸８ａ，１１ｂの連結軸に接続されている。
【００３９】
このような開閉補助装置では、ワイヤ１７が掛装される軸受部材１０のプーリー１０ａが動滑車として作用する。このため、コイルスプリング１８の付勢力に基づいて、連接軸８ｂの下端部に対し矢印Ｂ方向に作用する力ＦＢは、連接軸８ｂの上端部に対し矢印Ａ方向に作用する力ＦＡの２倍となる。
【００４０】
連接軸８ａ，８ｂの挟角αと、上記の力ＦＡ，ＦＢにより連接軸８ｂの両端部に作用する分力ｆａ，ｆｂとの関係を図１２に示す。
上記構成により、分力ｆａ，ｆｂの転換点Ｃは連接軸８ａ，８ｂの挟角αが４５°付近となる。従って、連接軸８ａ，８ｂの挟角αが９０°前後で全閉状態となる横引プリーツスクリーンを構成可能となる。
【００４１】
また、補助コイルスプリング１９は移動框２を固定框１から離れる方向に付勢する補助力の不足を補うように動作する。
上記のように構成された横引プリーツスクリーンでは、次に示す作用効果を得ることができる。
【００４２】
（１）パンタグラフ装置７ａ，７ｂの連接軸８ａ，８ｂ，１１ａ，１１ｂの挟角αが４５°となる転換点Ｃから、移動框２を固定框１に近づく方向に移動させるとき、移動框２を固定框１に向かって付勢する補助力を作用させることができる。従って、スクリーン３ａ，３ｂの畳み込み操作を軽微な操作力で行うことができる。
【００４３】
（２）パンタグラフ装置７ａ，７ｂの連接軸８ａ，８ｂ，１１ａ，１１ｂの挟角αが４５°となる転換点Ｃから、移動框２を固定框１から離れる方向に移動させるとき、移動框２を固定框１から離れる方向に向かって付勢する補助力を作用させることができる。従って、スクリーン３ａ，３ｂの引き出し操作を軽微な操作力で行うことができる。
【００４４】
（３）転換点Ｃから移動框２を固定框１から離れる方向に移動させるとき、分力ｆｂが小さく、十分な補助力が得られなくても、補助コイルスプリング１９により、補助力の不足を補うことができる。
【００４５】
（４）開閉補助装置をワイヤ１７とコイルスプリング１８及び補助コイルスプリング１９のみの簡単な構成で実現することができる。
（５）スクリーン３ａ，３ｂを全閉状態まで引き出しても、連接軸８ａ，８ｂ及び同１１ａ，１１ｂの挟角αを９０°前後とすることにより、移動框２に支持される軸受部材１２，１３の間隔を前記第一の実施の形態より大きくすることができる。従って、第一の実施の形態に比して、スクリーン３ａ，３ｂの全閉時に、移動框２を固定框１に対し並行に維持することが容易となる。
【００４６】
上記実施の形態は、次に示すように変更することもできる。
・図１３に示すように、前記第二の実施の形態のワイヤ１７及びコイルスプリング１８の引き回しを上下方向に逆方向としてもよい。
・図８に示すワイヤ１７及びコイルスプリング１８と図１３に示すワイヤ１７及びコイルスプリング１８を両方設ける構成としてもよい。このような構成により大きな補助力を得ることができる。
・第二の実施の形態において、補助コイルスプリング１９を省略してもよい。
・パンタグラフ装置は、２組以外の任意数を連結して構成してもよい。
・パンタグラフ装置は、框の上下方向に２段設けてもよい。
【００４７】
【発明の効果】
以上詳述したように、この発明はスクリーンを開閉する框に、開閉操作の補助力を安定して付与し得る横引スクリーンの開閉装置を簡便な構成で提供することができる。
【図面の簡単な説明】
【図１】  第一の実施の形態を示す正面図である。
【図２】  第一の実施の形態を示す平面図である。
【図３】  連接軸の連結部を示す正面図である。
【図４】  軸受部材と連接軸の連結部を示す正面図である。
【図５】  軸受部材と連接軸の連結部を示す正面図である。
【図６】  開閉装置の動作を示す正面図である。
【図７】  開閉装置の動作を示す正面図である。
【図８】  第二の実施の形態を示す正面図である。
【図９】  連接軸の連結部を示す正面図である。
【図１０】  軸受部材と連接軸の連結部を示す正面図である。
【図１１】  軸受部材と連接軸の連結部を示す正面図である。
【図１２】  挟角と分力の関係を示す説明図である。
【図１３】  別例を示す正面図である。
【符号の説明】
１          框（固定框）
２          框（移動框）
３          スクリーン
７ａ        パンタグラフ装置
８ａ        第一の連接軸
８ｂ        第二の連接軸
１４，１７        連結部材（ワイヤ）
１５，１８        付勢手段（コイルスプリング）
【図１】
0003834514.tif 000002
【図２】
0003834514.tif 000003
【図３】
0003834514.tif 000004
【図４】
0003834514.tif 000005
【図５】
0003834514.tif 000006
【図６】
0003834514.tif 000007
【図７】
0003834514.tif 000008
【図８】
0003834514.tif 000009
【図９】
0003834514.tif 000010
【図１０】
0003834514.tif 000011
【図１１】
0003834514.tif 000012
【図１２】
0003834514.tif 000013
【図１３】
0003834514.tif 000014